(57)【要約】  スケジュール表示装置は、携帯端末の画面に３次元形状の物体を示す画像を用いてスケジュール表を表示する表示処理部２を備え、表示処理部２は、物体の手前側に表示されるスケジュール項目ほど、単位時間当りの幅を広く表示する。
2014147927.tif 000002
【特許請求の範囲】
【請求項１】
携帯端末の画面に３次元形状の物体を示す画像を用いてスケジュール表を表示する表示処理部を備え、
前記表示処理部は、前記物体の手前側に表示されるスケジュール項目ほど、単位時間当りの幅を広く表示する
ことを特徴とするスケジュール表示装置。
【請求項２】
表示処理部は、スケジュール表のうち、所定の位置より手前側の部分をスケジュール項目に対する操作が可能な活性状態にし、前記スケジュール表内の他の部分を前記スケジュール項目に対する操作が不可能な非活性状態にする
請求項１記載のスケジュール表示装置。
【請求項３】
表示処理部は、活性状態であるスケジュール項目の端部以外の部分が操作された場合に、当該スケジュール項目に関してすでに表示されている内容よりも詳細な内容を表示する
請求項２記載のスケジュール表示装置。
【請求項４】
表示処理部は、活性状態であるスケジュール項目の端部が操作された場合に、当該スケジュール項目の時間帯を変更する
請求項２または請求項３記載のスケジュール表示装置。
【請求項５】
表示処理部は、非活性状態である部分が操作された場合に、３次元形状の物体の表示形態を変更する
請求項２から請求項４のうちのいずれか１項に記載のスケジュール表示装置。
【請求項６】
表示処理部は、タッチパネルにより操作される携帯端末の画面に３次元形状の物体を示す画像を用いてスケジュール表を表示し、非活性状態である部分をなぞる操作がされた場合に、なぞられた方向に沿って前記３次元形状の物体を回転させることにより手前側に表示する時間帯を変更する
請求項５記載のスケジュール表示装置。
【請求項７】
携帯端末の画面に３次元形状の物体を示す画像を用いてスケジュール表を表示し、
前記物体の手前側に表示されるスケジュール項目ほど、単位時間当りの幅を広く表示する
ことを特徴とするスケジュール表示方法。
【請求項８】
スケジュール表のうち、所定の位置より手前側の部分をスケジュール項目に対する操作が可能な活性状態にし、前記スケジュール表内の他の部分を前記スケジュール項目に対する操作が不可能な非活性状態にする
請求項７記載のスケジュール表示方法。
【請求項９】
コンピュータに、
携帯端末の画面に３次元形状の物体を示す画像を用いてスケジュール表を表示し、前記物体の手前側に表示されるスケジュール項目ほど、単位時間当りの幅を広く表示する表示処理
を実行させるためのスケジュール表示プログラム。
【請求項１０】
コンピュータに、
表示処理で、スケジュール表のうち、所定の位置より手前側の部分をスケジュール項目に対する操作が可能な活性状態にし、前記スケジュール表内の他の部分を前記スケジュール項目に対する操作が不可能な非活性状態にする処理を実行させる
請求項９記載のスケジュール表示プログラム。
【発明の詳細な説明】
【技術分野】
【０００１】
本発明は、スケジュールを表示するスケジュール表示装置、スケジュール表示方法およびスケジュール表示プログラムに関する。
【背景技術】
【０００２】
近年、スマートフォンなどの携帯端末が一般的に用いられている。また、そのような携帯端末に、スケジュールを管理するためのスケジュール管理ソフトウェアが使用されている。図８は、一般的なスケジュール表の例を示す説明図である。一般的なスケジュール管理ソフトウェアでは、例えば、図８に示すように複数の項目を縦方向に並べて表示したスケジュール表が用いられている。【０００３】
また、特許文献１には、定期予定をスケジュール表示する際、条件により表示形式の設定ができるスケジュール表示装置が開示されている。特許文献１においても、図８に示すように複数の項目が縦方向に並べて表示されたスケジュール表が用いられている。
【先行技術文献】
【特許文献】
【０００４】
【特許文献１】特開平１１−２１９３９２号公報（図６、図７）
【発明の概要】
【発明が解決しようとする課題】
【０００５】
しかし、携帯端末の画面はデスクトップＰＣ（Ｐｅｒｓｏｎａｌ  Ｃｏｍｐｕｔｅｒ）に用いられるディスプレイ装置に比べて小さいため、スケジュール表の各項目も小さく表示される。そのため、ユーザにとって操作がしづらいという課題がある。特に、操作がタッチパネルにより行われる場合、誤操作が生じ易い。また、スケジュール表の各項目を大きく表示させた場合、表示できる情報が少なくなり一覧性が低下するという課題がある。【０００６】
そこで、本発明は、操作性および一覧性が高いスケジュール表を表示することができるスケジュール表示装置、スケジュール表示方法およびスケジュール表示プログラムを提供することを目的とする。
【課題を解決するための手段】
【０００７】
本発明によるスケジュール表示装置は、携帯端末の画面に３次元形状の物体を示す画像を用いてスケジュール表を表示する表示処理部を備え、表示処理部は、物体の手前側に表示されるスケジュール項目ほど、単位時間当りの幅を広く表示することを特徴とする。【０００８】
本発明によるスケジュール表示方法は、携帯端末の画面に３次元形状の物体を示す画像を用いてスケジュール表を表示し、物体の手前側に表示されるスケジュール項目ほど、単位時間当りの幅を広く表示することを特徴とする。【０００９】
本発明によるスケジュール表示プログラムは、コンピュータに、携帯端末の画面に３次元形状の物体を示す画像を用いてスケジュール表を表示し、物体の手前側に表示されるスケジュール項目ほど、単位時間当りの幅を広く表示する表示処理を実行させることを特徴とする。
【発明の効果】
【００１０】
本発明によれば、操作性および一覧性が高いスケジュール表を表示することができる。
【図面の簡単な説明】
【００１１】
【図１】本発明によるスケジュール表示装置の構成を示すブロック図である。
【図２】本発明によるスケジュール表示装置の動作を示すフローチャートである。
【図３】スケジュール表の表示例を示す説明図である。
【図４】スケジュールの詳細内容の表示例を示す説明図である。
【図５】スケジュールの時間が変更された画面の例を示す説明図である。
【図６】スケジュール表の段数が変更された画面の例を示す説明図である。
【図７】本発明によるスケジュール表示装置の主要部の構成を示すブロック図である。
【図８】一般的なスケジュール表の例を示す説明図である。
【発明を実施するための形態】
【００１２】
本発明の実施形態を、図面を参照して説明する。図１は、本実施形態のスケジュール表示装置の構成を示すブロック図である。
【００１３】
図１に示すように本実施形態のスケジュール表示装置は、入力部１と、表示処理部２と、表示部３とを備える。
【００１４】
入力部１は、ユーザによる入力操作を受け付ける。入力部１は、例えばスマートフォン等の携帯端末に用いられるタッチパネルである。
【００１５】
表示処理部２は、スケジュール表を、３次元形状の物体を示す画像を用いて表示部３に表示させる。３次元形状の物体は、例えば螺旋状に形成された帯である。また、表示処理部２は、ユーザの操作に応じてスケジュール表の表示内容を変更させる。表示処理部２は、例えば、特定の演算処理等を行うよう設計されたハードウェア、またはスケジュール表示プログラムに従って動作するＣＰＵ（Ｃｅｎｔｒａｌ  Ｐｒｏｃｅｓｓｉｎｇ  Ｕｎｉｔ）等の情報処理装置によって実現される。
【００１６】
表示部３は、表示処理部２から受け取った表示内容を表示する。表示部３は、例えば、携帯端末の液晶ディスプレイである。
【００１７】
次に、本実施形態のスケジュール表示装置の動作を説明する。図２は、本実施形態のスケジュール表示装置の動作を示すフローチャートである。
【００１８】
表示処理部２は、ユーザの操作に従い、スケジュール表の初期表示を行う（ステップＳ１）。表示処理部２は、例えば、携帯端末にインストールされているスケジュール表示プログラムが起動された際に、スケジュール表の初期表示を行う。
【００１９】
図３は、スケジュール表の表示例を示す説明図である。図３に示すように、表示処理部２は、スケジュール表を、螺旋状に形成された帯を用いて表示する。螺旋状の各段には、１日のスケジュールが表示されている。表示処理部２は、表示されるスケジュールを、例えばアイコンや記号等で表してもよい。そのような表示方法を用いることにより、スケジュールとして表示される項目の時間幅が短くても、ユーザがスケジュールの内容を認識できる。
【００２０】
また、表示処理部２は、１日のスケジュールのうち、手前側に表示される項目ほど、単位時間当りの幅が広くなるように表示する。例えば図３に示す例では、６時から９時までおよび１５時から１８時までの時間帯よりも手前側に表示される９時から１５時までの時間帯のほうが、単位時間あたりの幅が広い。よって、手前側に表示される項目に記載された内容はユーザにとって見易く、操作がし易い。特に入力部１がタッチパネルである場合、ユーザは指で操作するため、操作範囲が狭いと操作しづらいが、このように表示することにより手前側の項目は操作がし易くなる。
【００２１】
また、表示処理部２は、スケジュール表に表示される時間として、図３では６時，９時，１２時，１５時，１８時という５つの時間を帯に重ねて表示しているが、このような表示方法に限らない。表示処理部２は、例えば、時間を１時間毎に表示してもよいし、帯に重ねて表示するのではなく、帯の上部に表示してもよい。
【００２２】
また、表示処理部２は、最上段の帯のうち、所定の位置より手前側に表示された範囲を、スケジュール項目に対する操作が可能な活性状態とする。また、表示処理部２は、スケジュール表内の他の部分をスケジュール項目に対する操作が不可能な非活性状態とする。図３に示す例では、３／４（月）の９時から１８時までの部分が活性状態となっている。また、表示処理部２は、活性状態の部分（活性部分）を、他の部分と異なる色で表示する。そのため、ユーザが、活性状態かどうかを容易に判別することができる。図３に示す例では、３／４（月）の９時から１８時までが活性状態となっているが、ユーザは、活性状態とする範囲を任意に設定することができる。表示処理部２は、例えば、最上段に限らず、所定の位置より手前側に表示された範囲を全て活性状態としてもよい。
【００２３】
活性部分のうち、スケジュール項目の端部以外の場所が操作されると（ステップＳ２のＹＥＳ、ステップＳ３のＮＯ）、表示処理部２は、そのスケジュール項目の詳細内容を表示する。図３に示す例では、作業１と記載された部分が押下されると、表示処理部２は、作業１の詳細内容を表示する。
【００２４】
図４は、スケジュールの詳細内容の表示例を示す説明図である。活性状態の項目の端部以外の場所が押下されると、図４に示すように、表示処理部２は、画面の左上にその部分のスケジュールの詳細内容を表示する。スケジュールの詳細内容が表示される場所は画面の左上とは限らず、他の場所であってもよい。
【００２５】
活性状態のスケジュール項目の端部が操作されると（ステップＳ２のＹＥＳ、ステップＳ３のＹＥＳ）、表示処理部２は、そのスケジュール項目の表示幅を変更する（ステップＳ５）。つまり、表示処理部２は、操作されたスケジュール項目の時間帯を変更する。図３に示した例では、ユーザがスケジュール項目の端部を右側にずらす操作をすると、時刻（開始時刻または終了時刻）が遅くなり、スケジュール項目の端部を左側にずらす操作をすると、時刻（開始時刻または終了時刻）が早くなる。図３に示す例では、利用者が作業１の開始時刻の１２時を示す線または終了時刻の１５時を示す線をずらすと、表示処理部２は、作業１の開始時刻または終了時刻を変更する。
【００２６】
図５は、スケジュールの時間が変更された画面の例を示す説明図である。図５に示す画面では作業１の開始時間が図３および図４に示す画面より１時間遅くなっている。活性部分は、手前側にあるため大きく表示されているので、ユーザは表示幅を容易に変更することができる。
【００２７】
スケジュール項目に対する操作が不可能な非活性状態の部分（非活性部分）が操作されると（ステップＳ６のＹＥＳ）、表示処理部２は、３次元形状の物体の表示形態を変更する（ステップＳ７）。具体的には、ユーザが非活性部分を横（時間軸方向）になぞると、表示処理部２は、なぞられた方向に沿って３次元形状の物体を回転させる。これにより、表示処理部２は、手前側に表示する時間帯を変更する。これにより、ユーザは、見たい時間帯を手前側に移動させることが可能となる。また、活性部分は、表示位置により決まるため、ユーザは、活性部分を自由に変更することができる。
【００２８】
また、ユーザがスケジュール表の非活性部分を上または下になぞると、表示処理部２は、スケジュール表に表示する日程を変更する。具体的には、現在の日程が表示されている状態で、ユーザが非活性部分を上になぞると、表示処理部２は、未来の日程を表示し、ユーザが非活性部分を下になぞると、過去の日程を表示する。これにより、ユーザは、表示する日程を自由に変更することができる。
【００２９】
表示処理部２は、例えば、ユーザが螺旋の下方の部分を指でおさえ他の指で螺旋部分を上になぞると、螺旋の上部に表示されていた一部の段を非表示とすることにより表示する段数を減らし、帯の上下幅を太くする。また、表示処理部２は、例えば、ユーザが螺旋の上方の部分を指でおさえ螺旋部分を下になぞると、螺旋の下部に表示されていた一部の段を非表示とすることにより表示する段数を減らし、帯の上下幅を太くする。
【００３０】
また、段数を増やし、帯の上下幅を細くするためには、ユーザが上記の操作と逆の操作をすればよい。例えば、表示処理部２は、ユーザが螺旋の下方の部分を指でおさえ他の指で螺旋部分を下になぞると、上方に隠れていたスケジュールを表示することにより段数を増やし、帯の上下幅を細くする。また、表示処理部２は、ユーザが螺旋の上方の部分を指でおさえ他の指で螺旋部分を上になぞると、下方に隠れていたスケジュールを表示することにより段数を増やし、帯の上下幅を細くすることができる。
【００３１】
図６は、スケジュール表の段数が変更された画面の例を示す説明図である。図６では、図３に示す画面状態において、螺旋の上方の部分を指でおさえ螺旋部分を下になぞった後の状態を示している。図６に示すように、図３において螺旋の下部に表示されていた３月７日以降を表示していた段が非表示となり、帯の上下幅が太くなっている。また、帯の上下幅が太くなったことにより、各スケジュール項目に詳細内容が表示される。これにより、ユーザは、スケジュールの内容を容易に確認することができる。図６に示す状態から図３に示す状態に戻すには、螺旋の上方の部分を指でおさえ他の指で螺旋部分を上になぞればよい。
【００３２】
スケジュール項目を操作可能な活性状態の範囲が限定されているため、ユーザは、誤ってスケジュール項目の操作をすることなく、表示する日程を変更したり、スケジュール表の段数および帯の上下幅を変更したりすることができる。
【００３３】
図３から図６に示したスケジュール表は、螺旋状の帯に表示されているが、スケジュールが表示されるものは、３次元形状であれば他の形状の物体でも構わない。例えば、表示処理部２は、球体、円柱、または複数の輪などの物体にスケジュール表を表示させてもよい。また、スケジュール表の色は、日によって異なる色で表示されていてもよい。
【００３４】
本実施形態のスケジュール表示装置は、スケジュール表のうちの手前側の部分ほど、単位時間あたりの幅を大きく表示するため、操作性および一覧性が高いスケジュール表を表示することができる。
【００３５】
また、本実施形態のスケジュール表示装置は、手前側の項目を大きく表示するため、特に、入力部１がタッチパネルである場合に、ユーザによる操作がし易いという効果を有する。また、スクロールバーを表示する必要がないため、例えば、スクロールバーの操作をしようとしてスケジュール項目の変更操作をしてしまうという誤操作も防止できる。
【００３６】
また、本実施形態のスケジュール表示装置は、所定の位置より手前側に表示された範囲のみ、スケジュール項目に対する操作が可能な活性状態とする。また、手前側に表示されているスケジュール項目は大きく表示されているため、ユーザが操作したい項目以外の項目を操作してしまうような誤操作を抑制することができる。
【００３７】
図７は、本発明によるスケジュール表示装置の主要部の構成を示すブロック図である。図７に示すように、スケジュール表示装置は、携帯端末の画面に３次元形状の物体を示す画像を用いてスケジュール表を表示する表示処理部２を備え、表示処理部２は、物体の手前側に表示されるスケジュール項目ほど、単位時間当りの幅を広く表示する。
【００３８】
また、上記の実施形態には、以下の（１）〜（５）に記載されたスケジュール表示装置も開示されている。
【００３９】
（１）表示処理部（例えば、表示処理部２）が、スケジュール表のうち所定の位置より手前側の部分を、スケジュール項目に対する操作が可能な活性状態にし、スケジュール表内の他の部分をスケジュール項目に対する操作が不可能な非活性状態にするスケジュール表示装置。このようなスケジュール表示装置によれば、手前側に表示される項目に記載された内容はユーザにとって見易く、操作がし易い。特に入力部がタッチパネルである場合、ユーザは指で操作するため、操作範囲が狭いと操作しづらいが、このように表示することにより手前側の項目は操作がし易くなる。
【００４０】
（２）スケジュール表示装置は、表示処理部が、活性状態であるスケジュール項目の端部以外の部分が操作された場合に、当該スケジュール項目に関して、すでに表示されている内容よりも詳細な内容を表示するように構成されていてもよい。
【００４１】
（３）スケジュール表示装置は、表示処理部が、活性状態であるスケジュール項目の端部が操作された場合に、当該スケジュール項目の時間帯を変更するように構成されていてもよい。
【００４２】
（４）スケジュール表示装置は、表示処理部が、スケジュール項目に対する操作が不可能な非活性状態である部分が操作された場合に、スケジュール表を動作させることにより３次元形状の物体の表示形態を変更するように構成されていてもよい。このようなスケジュール表示装置によれば、ユーザは、見たい時間帯を手前側に移動させることが可能となる。また、活性部分は、表示位置により決まるため、ユーザは、活性部分を自由に変更することができる。
【００４３】
（５）スケジュール表示装置は、表示処理部が、タッチパネルにより操作される携帯端末の画面に３次元形状の物体を示す画像を用いてスケジュール表を表示し、非活性状態である部分をなぞる操作がされた場合に、なぞられた方向に沿って３次元形状の物体を回転させることにより手前側に表示する時間帯を変更するように構成されていてもよい。
【００４４】
この出願は、２０１３年３月２１日に出願された日本出願特願２０１３−０５８２２４を基礎とする優先権を主張し、その開示の全てをここに取り込む。
【００４５】
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用の可能性】
【００４６】
本発明は、スマートフォンやタブレット端末等に適用できる。
【符号の説明】
【００４７】
１  入力部
２  表示処理部
３  表示部
【図１】
2014147927.tif 000003
【図２】
2014147927.tif 000004
【図３】
2014147927.tif 000005
【図４】
2014147927.tif 000006
【図５】
2014147927.tif 000007
【図６】
2014147927.tif 000008
【図７】
2014147927.tif 000009
【図８】
2014147927.tif 000010
【国際調査報告】
2014147927.tif 000011
2014147927.tif 000012
2014147927.tif 000013
2014147927.tif 000014